(57)【要約】      （修正有）【課題】繁殖用母豚の健康を維持・向上させ、出産後の回復を早めると共に、発情再帰の遅延を防止し、受胎率、産子数、泌乳量などを高め、子豚の淘汰率を減少させる。【解決手段】リジン対比で、メチオニンが２５〜３５重量％、トレオニンが６５〜７５重量％、トリプトファンが１５〜２１重量％、バリンが８３〜９３重量％に調整してあるか又はビタミンＡを１００００〜１２０００ＩＵ／ｋｇ、ビタミンＤ３を１５００〜２５００ＩＵ／ｋｇ、ビタミンＥを４０〜１００ｍｇ／ｋｇ、ビタミンＫ３を１〜３ｍｇ／ｋｇ含有させてあるかもしくは可消化エネルギーを、３２００〜３４００ｋｃａｌ／ｋｇに調整してなる母豚用配合飼料。【選択図】なし【特許請求の範囲】
【請求項１】
リジン対比で、メチオニンが２５〜３５重量％、トレオニンが６５〜７５重量％、トリプトファンが１５〜２１重量％、バリンが８３〜９３重量％に調整してある母豚用飼料。
【請求項２】
請求項１に記載の飼料に、さらに、ビタミンＡを１００００〜１２０００ＩＵ／ｋｇ、ビタミンＤ３  を１５００〜２５００ＩＵ／ｋｇ、ビタミンＥを４０〜１００ｍｇ／ｋｇ、ビタミンＫ３  を１〜３ｍｇ／ｋｇ含有させてある母豚用飼料。
【請求項３】
可消化エネルギーを、３２００〜３４００ｋｃａｌ／ｋｇに調整してある請求項１又は２に記載の母豚用飼料。
【請求項４】
市販飼料その他の配合飼料にサプリメントを添加して請求項１から３のいずれかに記載のアミノ酸バランス、ビタミンレベル及び／又はエネルギー含量に調整してある母豚用飼料。
【請求項５】
ビール酵母及び／又はポテトプロテインを配合してある請求項１から４のいずれかに記載の母豚用飼料。
【請求項６】
リジン摂取量が５０〜６５ｇ／日になるように請求項１から５のいずれかに記載の飼料を妊娠期から授乳期にかけて母豚に給与することによって母豚１頭あたりの年間離乳子豚頭数を向上させる方法。
【発明の詳細な説明】
【技術分野】
【０００１】
本発明は、母豚用飼料とその給与方法に関する。詳しくは、繁殖成績を改善できる新規な母豚用飼料とその飼料を母豚に給与して繁殖成績を改善する新規な方法に関する。本発明は、母豚１頭あたりの年間の離乳子豚頭数を指標とし、これを従来よりも向上することによって繁殖成績改善の目安とする母豚用飼料とその適切な給与方法を提供するものである。本発明は、母豚の繁殖成績を改善することによって、養豚業の生産性向上に資せんとするものである。
【背景技術】
【０００２】
一般に、養豚業の生産性を向上させるには「母豚１頭あたりの年間離乳子豚頭数」を高めることが最も重要な課題とされている。この課題を達成するには、母豚の健康を維持・向上させることは勿論、分娩時の事故を防ぎ、母豚・子豚の安全な生育をはかることが重要であり、さらに、発情再帰の遅延防止、受胎率の低減防止、産子数の増加、泌乳量の増加、子豚の淘汰率低減などの諸問題をコンスタントに実現できるようにする必要がある。      
【０００３】
また、妊娠期から授乳期にかけての母豚の栄養摂取不足は、短期的に泌乳量の減少を来し、哺乳子豚の発育を停滞させ、母豚の体調不良の原因となり、子豚の下痢発生の要因となる。また、授乳期における母豚の体重の減少は、発情再帰日数の遅延や産子数の減少につながり、生涯の繁殖成績に与える影響が大きい。このように、母豚に給与する飼料の栄養価は、繁殖成績に大きな影響を及ぼす。しかし、母豚用飼料によってこれら諸問題を総合的に解決することは容易ではない。
【０００４】
従来から、繁殖成績の向上につながる母豚用飼料の研究がおこなわれていて、いくつかの公知文献が見られる。
【特許文献１】特開平５−２１９８９７号公報
【特許文献２】特開平５−２６８８８３号公報
【特許文献３】特開平６−３３６８９６号公報
【特許文献４】特開平７−８１８３号公報
【特許文献５】特開平７−１４７９１１号公報
【特許文献６】特開平８−２３８８９号公報
【特許文献７】特開平１０−３０４８２５号公報
【０００５】
すなわち、特開平５−２１９８９７号公報（特許文献１）には、微量のガラクトオリゴ糖を配合した家畜用飼料を妊娠期間から哺乳期間を通して母豚に投与すると、哺乳期間中の子豚の下痢発生率を抑え、子豚の体重増加に効果がある旨が開示されている。また、特開平５−２６８８８３号公報（特許文献２）には、カゼインホスホペプチドを主成分とするカゼイン分解物を含有する豚用飼料を妊娠前後の母豚に給餌すると、妊娠中のカルシウムやミネラルの吸収が促進され、母豚の血液性状と乳質の改善、産仔の血液性状や骨化度の改善、増体にもつながる旨が開示されている。さらに、特開平６−３３６８９６号公報（特許文献３）には、細菌の菌体細胞破砕物又は細胞壁成分含有物を妊娠中の母豚に給餌すると、出産時及び哺乳期の子豚の斃死率を低減させ、子豚の下痢を予防して体重増加を促進する旨が開示されている。さらに、特開平７−８１８３号公報（特許文献４）には、飼料中にグアーガム酵素分解物を含有させることによって、母豚の出産後の回復を早め、妊娠から妊娠までの期間を短縮できる豚繁殖用飼料について開示されている。また、特開平７−１４７９１１号公報（特許文献５）には、還元型葉酸を含有させることによって、受精によって母豚胎内に発生した多胎をなるべく多く出産に至らしめて母豚の繁殖効率を改善する母豚用飼料添加物及び母豚用飼料について開示されている。さらに、特開平８−２３８８９号公報（特許文献６）には、オリゴ糖を主成分とする糖類を含有する繁殖雌豚飼育用飼料を妊娠期間中から離乳までの間に用いることによって、未熟児の発生率を減少させ、雌豚の泌乳量を増進させる方法について開示されている。また、特開平１０−３０４８２５号公報（特許文献７）には、電解質調整ミネラルを添加した飼料を給与することにより、繁殖豚の繁殖率と授乳子豚の哺育率を改善して生産性を向上させる方法について開示されている。
【０００６】
上記のとおり、従来の文献には、上記諸問題の総合的解決を標榜するものや母豚１頭あたりの年間離乳子豚頭数を向上することを直接の目的とするものは見あたらない。
上記文献の他、これまでにも、出産１回あたりの産子数増を企図し、クロム酵母を母豚に給与することで実現しようとする試みがなされているが、必ずしもコンスタントな成績を上げるには至っていない。また、同じ目的で、リノール酸カルシウムを母豚に給与することも試みられていて、この方法によれば、一応産子数増加の傾向は見られるものの、離乳子豚頭数の向上につながらない状況にあり、完成された技術とは言いがたい。
【０００７】
このような状況に鑑み、本発明者らは、上記諸問題を総合的に解決でき、繁殖成績の改善につながる母豚用飼料を開発することを志向し、まず、飼料のアミノ酸バランスを調整することによって、母豚の体質改善をはかることを考えた。しかし、アミノ酸バランスと１日あたりの飼料摂取量を整えるだけでは、母豚の泌乳量とタンパク質蓄積による疲弊防止の効果にはつながるが、繁殖成績の改善への効果は乏しいことが確認された。そこで、本発明者らは、コマーシャル農場において長期間にわたり、延べ５５８頭の母豚を用い、アミノ酸、ビタミン、カロリー、原料素材の組み合わせを種々変動させて試験・試作を繰り返した結果、これらの最適な組み合わせを見いだし、本発明を完成するに至った。
【０００８】
本発明において「繁殖成績」とは、発情再帰日数、受胎率、産子数、泌乳量、淘汰率などの総合的な成果のことをいい、具体的には、母豚１頭あたりの年間離乳子豚頭数で表すことができる。すなわち、本発明において「繁殖成績の向上」とは、母豚の発情再帰日数を短縮し、受胎率を高め、産子数を増やし、泌乳量を高め、淘汰率を下げるなどの総合的な効果として、母豚１頭あたりの年間離乳子豚頭数を向上させることをいう。
【発明の開示】
【発明が解決しようとする課題】
【０００９】
本発明は、受精、妊娠、出産、授乳を繰り返し続ける繁殖用母豚の健康を維持・向上させ、出産後の回復を早めると共に、発情再帰の遅延を防止し、受胎率、産子数、泌乳量などを高め、子豚の淘汰率を減少させるなどの諸問題を総合的に実現することによって、繁殖成績を改善し、もって、養豚業の生産性の向上に資することができる新規な母豚用飼料とその飼料の適切な給与方法を提供することを課題とする。具体的には、本発明は、母豚１頭あたりの年間離乳子豚頭数を従来よりも向上させることができる新規な母豚用飼料とその飼料の適切な給与方法を提供することを課題とするものである。
【課題を解決するための手段】
【００１０】
本発明のうち、特許請求の範囲・請求項１に記載する発明は、上記の課題を解決するための発明であって、リジン対比で、メチオニンが２５〜３５重量％、トレオニンが６５〜７５重量％、トリプトファンが１５〜２１重量％、バリンが８３〜９３重量％に調整してある母豚用飼料である。
【００１１】
また、同請求項２に際する発明は、上記の課題を解決するための発明であって、請求項１に記載の飼料に、さらに、ビタミンＡを１００００〜１２０００ＩＵ／ｋｇ、ビタミンＤ３  を１５００〜２５００ＩＵ／ｋｇ、ビタミンＥを４０〜１００ｍｇ／ｋｇ、ビタミンＫ３  を１〜３ｍｇ／ｋｇ含有させてある母豚用飼料である。
【００１２】
また、同請求項３に際する発明は、可消化エネルギーを、３２００〜３４００ｋｃａｌ／ｋｇに調整してある請求項１又は２に記載の母豚用配合飼料である。
【００１３】
また、同請求項４に際する発明は、市販飼料その他の配合飼料にサプリメントを添加して請求項１から３のいずれかに記載のアミノ酸バランス、ビタミンレベル及び／又はエネルギー含量に調整してある母豚用飼料である。
【００１４】
また、同請求項５に記載する発明は、ビール酵母及び／又はポテトプロテインを配合してある請求項１から４のいずれかに記載の母豚用飼料である。
【００１５】
また、同請求項６に記載する発明は、リジン摂取量が５０〜６５ｇ／日になるように請求項１から５のいずれかに記載の飼料を妊娠期から授乳期にかけて母豚に給与することによって母豚１頭あたりの年間離乳子豚頭数を向上させる方法である。
【発明の効果】
【００１６】
本発明に係る母豚用飼料は、上記の構成から成るので、これを給与すると飼料中のアミノ酸バランス、ビタミンレベル及び／又はエネルギー含量を調整した相乗効果によって、繁殖用母豚の生理機能が正常化され、また、母豚の健康が維持・向上されるので、母豚の疲弊度が減少され、その結果、母豚の発情再帰日数が短縮され、受胎率が高まり、産子数も増え、泌乳量も高くなり、淘汰率が低減するなどの総合的な効果が生じ、繁殖成績を上げることができる。すなわち、具体的には、母豚１頭あたりの年間離乳子豚頭数を従来よりも向上させることができる。また、本発明に係る母豚用飼料の給与方法によれば、本発明の飼料を母豚に対して最良の状態で給与できるので、繁殖成績が一段と向上する。
【００１７】
また、本発明に係る母豚用飼料及びその給与方法によれば、未だ体が小さく、体力も十分にでき上がっていない若い母豚でも、栄養バランスを整え、嗜好性を高めることができるので、このような若い母豚に対しても十分な飼料摂取と養分供給をすることができる。
【発明を実施するための最良の形態】
【００１８】
家畜の必須アミノ酸は広く知られており、豚については、リジンが全体の制限アミノ酸とされている。しかし、制限アミノ酸は不変であるが、養豚現場において最も効率のよいリジン供給は、母豚のおかれた環境に応じてそれぞれ最適の量に調整して給与することである。例えば、授乳期であれば泌乳量を維持するためにもリジン供給量は母豚１頭あたり６５ｇ／日が必要とされており、一方、妊娠期であれば母体維持と胎児の順調な発育に役立てばよいので、その供給量は５０ｇ／日で十分であると考えられる。したがって、母豚のリジン摂取量が５０〜６５ｇ／日になるように、好ましくは、妊娠期には５０ｇ／日、授乳期には６５ｇ／日になるように、本発明の飼料を妊娠期から授乳期にかけて母豚に給与することによって母豚１頭あたりの年間離乳子豚頭数を向上させることが可能となる。      
【００１９】
本発明において、「離乳子豚頭数」とは、母豚が出産した子豚の頭数（産子数）から離乳に至るまでの間に淘汰された子豚頭数を除き、実際に離乳がおこなわれ、離乳舎にて継続して飼育される子豚の頭数のことをいう。また、「産子数」とは、母豚が出産する子豚の頭数のことをいう。また、「受胎率」とは、交配後、母豚が妊娠する頻度をいい、「淘汰率」とは、離乳子豚頭数を産子数で除した数値をいう。
また、飼料の「可消化エネルギー」(Digestible Energy) とは、飼料中の総エネルギー(Gross Energy)から糞に含まれる未消化エネルギーを差し引いて求めた値である。
【００２０】
一般に、母豚の妊娠期間中の注意事項は、母豚を健康な状態に保つことと胎児の発育を順調に保ことに尽きる。したがって、本発明の飼料についても、母豚の妊娠期間中は、個体ごとの要求レベルに合致した飼料を制限給餌で給与することが望ましい。
また、母豚は、授乳期に十分な栄養成分が供給されないと、極度の体重減少や泌乳能力の低下を招き、その結果、子豚の発育や離乳体重に悪影響を与えることになり、繁殖成績が悪化する。そのため、授乳期においては、母豚が真に要求する成分をより嗜好性の高い原料を経て供給し、上記弊害を排除してやる必要がある。具体的には、高濃度アミノ酸と脂溶性ビタミンと高カロリー原料を併用することが望ましい。一方、飼料の供給過剰も飼料代金（生産コスト）の過剰投資であり、養豚産業としては至適なレベルを見きわめることが収益改善の重要な手段となる。
【００２１】
このような観点から、本発明の母豚用飼料は、市販飼料その他の配合飼料にサプリメントを添加して、本発明で特定したアミノ酸バランス、ビタミンレベル及び／又はエネルギー含量（以下これらを「栄養成分レベル」と総称する。）になるようにそれぞれ調整して製することが好ましい。また、本発明の飼料の給与方法は、市販飼料その他の配合飼料にサプリメントを添加して、本発明で特定した栄養成分レベルの数値になるようにそれぞれ調整した母豚用飼料を、通期にわたり給与し続けることが望ましい。すなわち、一般に、母豚への飼料の給与方法は、個体別管理がおこなわれる妊娠期には制限給餌、授乳期には不断給餌とするのが基本であるが、市販飼料その他の配合飼料の栄養成分レベルが、本発明で特定する栄養成分レベルの範囲に達しない場合は、不足する栄養成分レベル数値を充足するように、市販飼料又はその他の配合飼料にサプリメントを予備混合し、均一な状態にして給与すればよい。なお、母豚の管理はできるだけ個体管理に徹することがが好ましいので、全ての母豚の栄養成分レベルを均一にして一律に給与するよりも、各個体の要求に合致した栄養成分レベルに調整した飼料を個体ごとに給与する方が望ましい。また、本発明に係る飼料は、妊娠期と授乳期（ほ乳期）を通して給与することが望ましい。
【００２２】
本発明において、請求項１から３に記載の栄養成分レベルの数値は、「Ｎ．Ｒ．Ｃ．飼料標準−豚」(Nutrient Requirement of Swine 1998)に掲載の飼料摂取量の数値などを参考にして、本発明者らが、何回も予備試験を繰り返した結果、母豚の繁殖成績を上げるのに最適と考えられる範囲を見いだし、これを示したものである。すなわち、多くの予備試験によって、母豚用飼料において、アミノ酸バランスについては、リジン対比で、メチオニンが２５〜３５重量％、トレオニンが６５〜７５重量％、トリプトファンが１５〜２１重量％、バリンが８３〜９３重量％に調整すること、ビタミンレベルについては、ビタミンＡを１００００〜１２０００ＩＵ／ｋｇ、ビタミンＤ３  を１５００〜２５００ＩＵ／ｋｇ、ビタミンＥを４０〜１００ｍｇ／ｋｇ、ビタミンＫ３  を１〜３ｍｇ／ｋｇ含有させること、エネルギー含量については、可消化エネルギーを、３２００〜３４００ｋｃａｌ／ｋｇに調整すること、さらに、これらを組み合わせて調整することが、最も好ましい繁殖成績につながることを見いだし、最終的には、以下の各試験をおこない、その結果を検討した上で、請求項１から３に記載の栄養成分レベルの範囲を決定したものである。
【００２３】
また、このように工夫して作った母豚用飼料は、これを母豚に好んで摂取させる必要がある。そこで、本発明の飼料には、ビール酵母及び／又はポテトプロテインを配合することが好ましい。すなわち、本発明に係る飼料にビール酵母やポテトプロテインなどの母豚の嗜好に適合する原料を配合すると、母豚の飼料摂取量を増大させることができ、さらに好ましい繁殖成績を得ることができる。
【００２４】
以下、試験例をもって、本発明をさらに詳しく説明する。なお、以下の試験例における飼料の給与期間は、妊娠期と授乳期の両方である。また、飼料の給与方法は、妊娠期は制限給餌、授乳期は不断給餌である。
なお、以下の試験例において、数値の単位は以下のとおりである。
各原料の配合割合とアミノ酸の割合＝重量％、可消化エネルギー＝ｋｃａｌ
ビタミンＡとビタミンＤ３  ＝ＩＵ／ｋｇ、ビタミンＥとビタミンＫ３  ＝ｍｇ／ｋｇ
【試験例１】
【００２５】
＜飼料のアミノ酸バランスが発情再帰に及ぼす影響の確認試験＞
（１）試験方法
各区２２頭の母豚に、妊娠期から授乳期にかけて、毎日、表１の配合・組成に調整した飼料を給与して、アミノ酸バランスの違いが発情再帰に及ぼす影響について調べ、表２の結果を得た。
【表１】
2005192514.tif 000002
（注１）アミノ酸バランスとビタミンレベルの調整は、ビタミン・ミネラルプレミックスのみでおこなった。なお、これらの調整にはサプリメントを用いることもできる。
（注２）市販区飼料１と市販区飼料２は、市販の種豚飼育用配合飼料をベースにして、それぞれのアミノ酸バランスが異なるように調整した飼料である。
（注３）試験区飼料は、予備試験やその他の資料（例えば「Ｎ．Ｒ．Ｃ．飼料標準−豚」など）に基づいて本発明者らが最も好ましいと考える栄養成分レベルの範囲（表１に「本発明の範囲」として示してある。）で、かつ、アミノ酸バランスを市販区飼料１・市販区飼料２と異なるように調整した飼料である。
【００２６】
（２）試験結果
（注１）母豚の発情再帰は、短いに越したことはないが、業界共通の明快な尺度がないので、本試験例においては、便宜的に６日以内に再発情したものの比率をもって比較することとした。試験結果を表２に示す。
【００２７】
【表２】
2005192514.tif 000003
（３）考察
表２において、ビタミンレベルはいずれも同じであるのに、試験区飼料は、市販区飼料１と市販区飼料２に比べて母豚の早期の発情再帰率が高い。この事実から、母豚の早期の発情再帰率を高めるには、アミノ酸バランスを「リジン対比で、メチオニンが２５〜３５重量％、トレオニンが６５〜７５重量％、トリプトファンが１５〜２１重量％、バリンが８３〜９３重量％」に調整することが重要であることが確認された。
【試験例２】
【００２８】
＜飼料のビタミンレベルが受胎率に及ぼす影響の確認試験＞
（１）試験方法
各区１３頭の母豚に、妊娠期から授乳期にかけて、毎日、表３の配合・組成に調整した飼料を給与して、ビタミンレベルの違いが受胎率に及ぼす影響について調べ、表４の結果を得た。
【表３】
2005192514.tif 000004
（注１）アミノ酸バランスとビタミンレベルの調整は、ビタミン・ミネラルプレミックスのみでおこなった。
（注２）市販区飼料３と市販区飼料４は、市販の種豚飼育用配合飼料をベースとして、それぞれのアミノ酸バランスとビタミンレベルが異なるように調整した飼料である。
（注３）試験区飼料は、予備試験やその他の資料に基づいて本発明者らが最も好ましいと考える栄養成分レベルの範囲（表３に「本発明の範囲」として示してある。）で、かつ、アミノ酸バランスは市販区飼料３と同じであるが市販区飼料４とは異なるように、また、ビタミンレベルは市販区飼料３・市販区飼料４と異なるように調整した飼料である。
【００２９】
（２）試験結果
【表４】
2005192514.tif 000005
（３）考察
表４において、試験区飼料は、市販区飼料３と市販区飼料４に比べて母豚の受胎率が高い。この事実から、飼料のビタミンレベルが「ビタミンＡを１００００〜１２０００ＩＵ／ｋｇ、ビタミンＤ３  を１５００〜２５００ＩＵ／ｋｇ、ビタミンＥを４０〜１００ｍｇ／ｋｇ、ビタミンＫ３  を１〜３ｍｇ／ｋｇ」の範囲を逸脱すると、アミノ酸バランスの異同とは無関係に、母豚の受胎率が明らかに低下することが確認された。
【００３０】
【表５】
2005192514.tif 000006
（注１）アミノ酸バランスとビタミンレベルの調整は、ビタミン・ミネラルプレミックスのみでおこなった。
（注２）試験区飼料、市販区飼料５、市販区飼料６は、予備試験やその他の資料に基づいて本発明者らが最も好ましいと考える栄養成分レベルの範囲（表５に「本発明の範囲」として示してある。）で、かつ、アミノ酸バランスとビタミンレベルはいずれも同一であるが、可消化エネルギーのみが異なるように、それぞれ調整した飼料である。
【試験例３】
【００３１】
＜飼料のカロリー含有量が産子数に及ぼす影響の確認試験＞
（１）試験方法
各区１８頭の母豚に、妊娠期から授乳期にかけて、毎日、表５の配合・組成に調整した飼料を給与して、エネルギー含量の違いが産子数に及ぼす影響について調べ、表６の結果を得た。
【００３２】
（２）試験結果
【表６】
2005192514.tif 000007
（３）考察
表６において、アミノ酸バランスとビタミンレベルは同じであるのに、試験区飼料（可消化エネルギー３３１５ｋｃａｌ）は、市販区飼料５（同３１８０ｋｃａｌ）と市販区飼料６（同３５４０ｋｃａｌ）に比べて、母豚の産子数が大きい。この事実から、飼料の可消化エネルギーが「３２００〜３４００ｋｃａｌ」の範囲をを逸脱すると、母豚の産子数が明らかに低減することが確認された。
【試験例４】
【００３３】
＜飼料のアミノ酸・ビタミン・エネルギー含量が繁殖成績に及ぼす影響の確認試験＞
（１）試験方法
試験例１〜３の結果を検討した上で、各区５３頭の母豚に表７の配合・組成の飼料を給与して、栄養成分レベル（アミノ酸バランス・ビタミンレベル・エネルギー含量）の相違が繁殖成績に及ぼす影響について調べ、表８の結果を得た。なお、本試験例では、栄養成分レベルの相乗効果の確認をおこなうと共に、これらの飼料を母豚に適度に摂取させるため、母豚の嗜好性に影響が大きいビール酵母とポテトプロテインを飼料に配合してその効果の検証も併せておこなった。
【００３４】
【表８】
2005192514.tif 000008
【００３５】
（３）考察
表８において、試験区飼料１・試験区飼料２とも、市販区飼料７に比べて繁殖成績が高く、母豚１頭あたりの年間離乳子豚頭数が向上することが確認された。この事実から、飼料のアミノ酸バランス・ビタミンレベル・エネルギー含量の相違が、母豚の発情再帰・受胎率・産子数・離乳子豚頭数に大きく影響することが確認された。また、試験区飼料１よりも、試験区飼料２の方が繁殖成績が高いことから、ビール酵母やポテトプロテインなどの母豚の嗜好に適合する原料を配合すると、飼料摂取量を増大させることができ、好ましい繁殖成績が得られることが確認された。
本試験によって、離乳子豚頭数を増やすのに最適な飼料の配合・組成を完成することができた。
【００３６】
【表７】
2005192514.tif 000009
（注１）アミノ酸とビタミンレベルの調整は、ビタミンとミネラルプレミックスのみで
こなった。
（注２）市販区飼料７とは、市販の種豚飼育用配合飼料をベースにして、アミノ酸バランスとビタミンレベルを試験区飼料１・試験区飼料２と異なるように調整した飼料である。（注３）試験区飼料１は、予備試験やその他の資料に基づいて本発明者らが最も好ましいと考える栄養成分レベルの範囲（表７に「本発明の範囲」として示してある。）に調整した飼料である。
（注４）試験区飼料２は、ビール酵母とポテトプロテインを添加してあり、かつ、栄養成分レベルを試験区飼料１と同じに調整した飼料である。
【実施例１】
【００３７】
＜本発明の母豚用飼料の製造例＞
（１）配合
原料名                            配合率
とうもろこし                        ５６．０％
脱脂糠                                ３．０
ルーサン                              ５．０
コーンジャームミール                  ３．０
大豆粕                              １５．０
ナタネ粕                              ５．０
ポテトプロテイン                      ２．０
糖蜜                                  １．０
動物性油脂                            ４．０
ビール酵母                            ３．０
炭酸カルシウム・リン酸カルシウム      ２．５
ビタミン・ミネラルのプレミックス      ２．５
合  計                      １００．０％
（２）製法
上記の各原料を所定重量割合になるように秤取して、全体を均一になるように攪拌混合した。その後、栄養成分レベルを調べたところ、ビタミンＡが不足していたので、ビタミンＡ補助用サプリメントを少量添加してさらに攪拌混合して均一化し、粉末状の飼料を製した。でき上がった飼料の栄養成分レベルは、リジン対比で、メチオニンが２０％、トレオニンが７０％、トリプトファンが２０％、バリンが９０％で、ビタミンＡを１１０００ＩＵ／ｋｇ、ビタミンＤ３  を２０００ＩＵ／ｋｇ、ビタミンＥを６０ｍｇ／ｋｇ、ビタミンＫ３  を２ｍｇ／ｋｇ含有し、可消化エネルギーは３３００ｋｃａｌ／ｋｇであったので、本発明の範囲を充たしていることが確認された。得られた飼料は、１０ｋｇ袋に詰めて製品とする。
（３）効果の確認
実施例１で製した飼料を、初産の子豚を離乳した直後の若い母豚２０頭（１頭あたりの平均離乳子豚頭数は９．１１頭／腹）に、再び妊娠して出産し、授乳期間を経て離乳するまで、毎日、給与した。これら母豚の２産目の平均離乳子豚頭数は１０．３３頭／腹であった。
【産業上の利用可能性】
【００３８】
以上、詳細に説明したとおり、本発明に係る母豚用飼料とその給与方法は、母豚１頭あたりの年間離乳子豚頭数を向上させることができるので、養豚業の生産性向上に大きく資するものである。特に、本発明に係る母豚用飼料とその給与方法は、未だ体力ができ上がっていない若い母豚から老成した母豚まで、飼料摂取と養分補給を十分ならしめ、１頭あたりの年間離乳子豚頭数を向上させることができる。